(57)【要約】【課題】ＰＤＣＣＨの誤検出を抑制しつつ、ＰＤＣＣＨブロッキングの発生を低減すること。【解決手段】移動局装置１０に対するＰＤＳＣＨが割り当てられるコンポーネントキャリアの数に応じてＵＥ−ｓｐｅｃｉｆｉｃサーチスペースのサイズを適応的に制御するサーチスペースサイズ適応制御部２０３と、サーチスペースサイズ適応制御部２０３による制御結果を反映した制御情報を生成する制御情報生成部２０１と、この制御情報をＲＲＣシグナリングにより移動局装置１０に送信する送受信部２３とを具備することを特徴とする。【選択図】図１０
2011142599.tif 000002
【特許請求の範囲】
【請求項１】
移動局装置に対するＰＤＳＣＨが割り当てられるコンポーネントキャリアの数に応じてＵＥ−ｓｐｅｃｉｆｉｃサーチスペースのサイズを適応的に制御する制御手段と、前記制御手段による制御結果を反映した制御情報を生成する制御情報生成手段と、前記制御情報をＲＲＣシグナリングにより前記移動局装置に送信する送信手段とを具備することを特徴とする基地局装置。
【請求項２】
前記制御情報生成手段は、コンポーネントキャリア毎に前記移動局装置に対するＰＤＣＣＨ及びＰＤＳＣＨの割当ての有無を含む前記制御情報を生成することを特徴とする請求項１記載の基地局装置。
【請求項３】
前記制御情報生成手段は、コンポーネントキャリア毎に前記移動局装置に対するＰＤＣＣＨ及びＰＤＳＣＨの割当ての有無と、ＵＥ−ｓｐｅｃｉｆｉｃサーチスペースのサイズとを含む前記制御情報を生成することを特徴とする請求項１記載の基地局装置。
【請求項４】
前記制御情報生成手段は、ＤＣＩフォーマットのサイズを基準として前記移動局装置に対するＰＤＣＣＨ及びＰＤＳＣＨが割り当てられるコンポーネントキャリアと、ＵＥ−ｓｐｅｃｉｆｉｃサーチスペースのサイズとを含む前記制御情報を生成することを特徴とする請求項１記載の基地局装置。
【請求項５】
各コンポーネントキャリアの活性化／非活性化を切り替える切替制御情報を生成する切替制御情報生成手段を具備し、前記制御情報生成手段は、各コンポーネントキャリアの活性化／非活性化の切替えに必要な設定情報を含む前記制御情報を生成し、前記送信手段は、前記制御信号をＲＲＣシグナリングにより前記移動局装置に送信すると共に、前記切替制御情報をＰＤＣＣＨに含めて前記移動局装置に送信することを特徴とする請求項２から請求項４のいずれかに記載の基地局装置。
【請求項６】
前記設定情報には、各コンポーネントキャリアに対応するＰＤＣＣＨ及びＰＤＳＣＨを識別するための識別情報と、前記識別情報に対応するＰＤＣＣＨ及びＰＤＳＣＨの各コンポーネントキャリアへの割当ての有無を示す割当情報とが含まれ、前記切替制御情報には、前記割当情報による割当ての有無を切り替える情報が含まれることを特徴とする請求項５記載の基地局装置。
【請求項７】
基地局装置から、自装置に対するＰＤＳＣＨが割り当てられるコンポーネントキャリアの数に応じて適応的に制御されたＵＥ−ｓｐｅｃｉｆｉｃサーチスペースのサイズを反映した制御情報をＲＲＣシグナリングにより受信する受信手段と、前記制御情報により指定されるＵＥ−ｓｐｅｃｉｆｉｃサーチスペースのブラインド検出処理を実行する検出手段とを具備することを特徴とする移動局装置。
【請求項８】
前記受信手段は、コンポーネントキャリア毎に自装置に対するＰＤＣＣＨ及びＰＤＳＣＨの割当ての有無を含む前記制御情報を受信し、前記検出手段は、前記制御情報に含まれる自装置に対するコンポーネントキャリア毎のＰＤＣＣＨ及びＰＤＳＣＨの割当ての有無に応じてＵＥ−ｓｐｅｃｉｆｉｃサーチスペースのブラインド検出処理を実行することを特徴とする請求項７記載の移動局装置。
【請求項９】
前記受信手段は、コンポーネントキャリア毎に自装置に対するＰＤＣＣＨ及びＰＤＳＣＨの割当ての有無と、ＵＥ−ｓｐｅｃｉｆｉｃサーチスペースのサイズとを含む前記制御情報を受信し、前記検出手段は、前記制御情報に含まれるＵＥ−ｓｐｅｃｉｆｉｃサーチスペースのサイズに応じてＵＥ−ｓｐｅｃｉｆｉｃサーチスペースのブラインド検出処理を実行することを特徴とする請求項７記載の移動局装置。
【請求項１０】
前記受信手段は、ＤＣＩフォーマットのサイズを基準として自装置に対するＰＤＣＣＨ及びＰＤＳＣＨが割り当てられるコンポーネントキャリアと、ＵＥ−ｓｐｅｃｉｆｉｃサーチスペースのサイズとを含む前記制御情報を受信し、前記検出手段は、前記制御情報に含まれるＵＥ−ｓｐｅｃｉｆｉｃサーチスペースのサイズに応じてＵＥ−ｓｐｅｃｉｆｉｃサーチスペースのブラインド検出処理を実行することを特徴とする請求項７記載の移動局装置。
【請求項１１】
各コンポーネントキャリアの活性化／非活性化を切り替える切替手段を具備し、前記受信手段は、コンポーネントキャリアの活性化／非活性化の切替えに必要な設定情報を含む前記制御情報をＲＲＣシグンリングにより受信すると共に、各コンポーネントキャリアの活性化／非活性化を切り替える切替制御情報を含むＰＤＣＣＨを受信し、前記切替手段は、前記切替制御情報に応じて各コンポーネントキャリアの活性化／非活性化を切り替えることを特徴とする請求項８から請求項１０のいずれかに記載の移動局装置。
【請求項１２】
前記設定情報には、各コンポーネントキャリアに対応するＰＤＣＣＨ及びＰＤＳＣＨを識別するための識別情報と、前記識別情報に対応するＰＤＣＣＨ及びＰＤＳＣＨの各コンポーネントキャリアへの割当ての有無を示す割当情報とが含まれ、前記切替制御情報には、前記割当情報による割当ての有無を切り替える情報が含まれることを特徴とする請求項１１記載の移動局装置。
【請求項１３】
基地局装置において、移動局装置に対するＰＤＳＣＨが割り当てられるコンポーネントキャリアの数に応じてＵＥ−ｓｐｅｃｉｆｉｃサーチスペースのサイズを適応的に制御するステップと、制御された結果を反映した制御情報を生成するステップと、前記制御情報をＲＲＣシグナリングにより前記移動局装置に送信するステップと、前記移動局装置において、前記制御信号を受信するステップと、前記制御情報により指定されるＵＥ−ｓｐｅｃｉｆｉｃサーチスペースのブラインド検出処理を実行するステップとを具備することを特徴とする制御情報送信方法。
【請求項１４】
前記基地局装置において、各コンポーネントキャリアの活性化／非活性化の切替えに必要な設定情報を含む前記制御情報を生成するステップと、前記設定情報を含む前記制御情報をＲＲＣシグナリングにより前記移動局装置に送信するステップと、各コンポーネントキャリアの活性化／非活性化を切り替える切替制御情報を生成するステップと、前記切替制御情報をＰＤＣＣＨに含めて前記移動局装置に送信するステップと、前記移動局装置において、前記設定情報を含む前記制御情報をＲＲＣシグンリングにより受信するステップと、前記切替制御情報を含むＰＤＣＣＨを受信するステップと、前記切替制御情報に応じて各コンポーネントキャリアの活性化／非活性化を切り替えるステップとを具備することを特徴とする請求項１３記載の制御情報送信方法。
【発明の詳細な説明】
【技術分野】
【０００１】
本発明は、基地局装置、移動局装置及び制御情報送信方法に関し、特に、次世代移動通信システムにおける基地局装置、移動局装置及び制御情報送信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（例えば、非特許文献１参照）。
【０００３】
第３世代のシステムは、概して５ＭＨｚの固定帯域を用いて、下り回線で最大２Ｍｂｐｓ程度の伝送レートを実現できる。一方、ＬＴＥ方式のシステムにおいては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。例えば、ＬＴＥ−Ａにおいては、ＬＴＥ仕様の最大システム帯域である２０ＭＨｚを、１００ＭＨｚ程度まで拡張することが予定されている。
【０００４】
ＬＴＥ方式のシステム（ＬＴＥシステム）において、下りリンクの制御情報は、ＰＤＣＣＨ（Physical  Downlink  Control  Channel）で基地局装置から移動局装置に送出される。ＰＤＣＣＨには、全ての移動局装置が同時に受信する必要があるＰＤＣＣＨ（ＵＥ−ｃｏｍｍｏｎ  ＰＤＣＣＨ）と、移動局装置が個別に受信する必要があるＰＤＣＣＨ（ＵＥ−ｓｐｅｃｉｆｉｃ  ＰＤＣＣＨ）とが含まれる。これらのＰＤＣＣＨを移動局装置の負荷を軽減しながら検出すべく、ＬＴＥシステムにおいては、全ての移動局装置で共通の位置に配置され、上記ＵＥ−ｃｏｍｍｏｎ  ＰＤＣＣＨが含まれるＵＥ−ｃｏｍｍｏｎサーチスペースと、各移動局装置で個別の位置に配置され、上記ＵＥ−ｓｐｅｃｉｆｉｃ  ＰＤＣＣＨが含まれるＵＥ−ｓｐｅｃｉｆｉｃサーチスペースとを定義している。ＵＥ−ｃｏｍｍｏｎサーチスペースは、ＰＤＣＣＨが割り当てられる基本単位であるＣＣＥ（Control  Channel  Element）のうち、先頭部分に配置されるＣＣＥに配置される。一方、ＵＥ−ｓｐｅｃｉｆｉｃ  ＰＤＣＣＨは、移動局装置の識別情報（ＵＥ−ＩＤ）、サブフレーム番号によりランダムに配置される。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
しかしながら、ＬＴＥシステムにおいては、上述のように移動局装置における負荷を軽減すべくＵＥ−ｓｐｅｃｉｆｉｃサーチスペースを定義していることから、複数の移動局装置に対してＰＤＣＣＨを割り当てる場合、ＰＤＣＣＨの無線リソースがあまっているにもかかわらず、ＵＥ−ｓｐｅｃｉｆｉｃサーチスペース内のＰＤＣＣＨの無線リソースが他移動局装置に割り当てられてしまっているために割り当てを行うことができない事態が発生し得る（以下、この事態を適宜「ＰＤＣＣＨブロッキング」という）。
【０００７】
一方、このようなＰＤＣＣＨブロッキングの発生を抑制すべくＵＥ−ｓｐｅｃｉｆｉｃサーチスペースを拡大することが考えられる。しかしながら、前述のとおり、移動局装置の負荷が増大することに加え、移動局装置においては、ＰＤＣＣＨに付加されている、自装置のＵＥ−ＩＤでマスクされたＣＲＣ（Cyclic  Redundancy  check）符号をＵＥ−ＩＤを用いてブラインド検出することで、自装置に割り当てられたＰＤＣＣＨを得る。このブラインド検出においては、ＣＲＣの特性上、１回のブラインド検出において、１／２Ｎ（「Ｎ」はＣＲＣのビット数）の確率で割り当てがないにもかかわらず誤って自装置が割り当てられたと検出され得る。したがって、ＵＥ−ｓｐｅｃｉｆｉｃサーチスペースをＭ倍に拡大する場合には、誤検出の確率がＭ倍に高まるという問題がある。すなわち、ＰＤＣＣＨブロッキングと、ＰＤＣＣＨの誤検出確率とはトレードオフの関係にある。
【０００８】
ＬＴＥ−Ａ方式のシステム（ＬＴＥ−Ａシステム）においては、ＬＴＥシステムのシステム帯域を一単位とする基本周波数ブロック（コンポーネントキャリア）を複数結合してシステム帯域を広帯域化することが予定されている（キャリアアグリゲーション）。また、ＬＴＥ−Ａシステムにおいては、下り送信データが割り当てられるＰＤＳＣＨ（Physical  Downlink  Shared  Channel）の受信に必要なＰＤＣＣＨを、当該ＰＤＳＣＨが割り当てられるコンポーネントキャリアとは異なるコンポーネントキャリアに割り当て可能とすることが予定されている。このようにＰＤＳＣＨに対応するＰＤＣＣＨを、当該ＰＤＳＣＨが割り当てられるコンポーネントキャリアとは異なるコンポーネントキャリアに割り当てる場合において、ＬＴＥシステムと同様のＵＥ−ｓｐｅｃｉｆｉｃサーチスペースを定義する場合には、ある移動局装置に対応するＰＤＣＣＨの数が多くなることから、上述したＰＤＣＣＨブロッキングが発生する確率が増大するという問題がある。
【０００９】
本発明は、このような実情に鑑みてなされたものであり、ＰＤＣＣＨの誤検出を抑制しつつ、ＰＤＣＣＨブロッキングの発生を低減することができる基地局装置、移動局装置及び制御情報送信方法を提供することを目的とする。
【課題を解決するための手段】
【００１０】
本発明の基地局装置は、移動局装置に対するＰＤＳＣＨが割り当てられるコンポーネントキャリアの数に応じてＵＥ−ｓｐｅｃｉｆｉｃサーチスペースのサイズを適応的に制御する制御手段と、前記制御手段による制御結果を反映した制御情報を生成する制御情報生成手段と、前記制御情報をＲＲＣシグナリングにより前記移動局装置に送信する送信手段とを具備することを特徴とする。
【００１１】
この構成によれば、移動局装置に対するＰＤＳＣＨが割り当てられるコンポーネントキャリアの数に応じてＵＥ−ｓｐｅｃｉｆｉｃサーチスペースのサイズが適応的に制御されることから、ＰＤＳＣＨが割り当てられるコンポーネントキャリアの数に応じてＵＥ−ｓｐｅｃｉｆｉｃサーチスペースを拡大又は縮小できる。これにより、拡大した場合には、ＵＥ−ｓｐｅｃｉｆｉｃ  ＰＤＣＣＨがブロックされる事態を回避し易くすることができ、ＰＤＣＣＨブロッキングの発生を低減することができる一方、縮小した場合には、サーチスペースのサイズに伴って増大するブラインド検出処理の回数を低減でき、移動局装置におけるＰＤＣＣＨの誤検出を抑制することが可能となる。
【００１２】
本発明の移動局装置は、基地局装置から、自装置に対するＰＤＳＣＨが割り当てられるコンポーネントキャリアの数に応じて適応的に制御されたＵＥ−ｓｐｅｃｉｆｉｃサーチスペースのサイズを反映した制御情報をＲＲＣシグナリングにより受信する受信手段と、前記制御情報により指定されるＵＥ−ｓｐｅｃｉｆｉｃサーチスペースのブラインド検出処理を実行する検出手段とを具備することを特徴とする。
【００１３】
この構成によれば、各移動局装置に対するＰＤＳＣＨが割り当てられるコンポーネントキャリアの数に応じて適応的に制御されたＵＥ−ｓｐｅｃｉｆｉｃサーチスペースでブラインド検出処理を行うことができるので、自装置向けのＰＤＳＣＨの制御情報であるＰＤＣＣＨのブラインド検出を必要な範囲に限って行うことが可能となる。
【００１４】
本発明の制御情報送信方法は、基地局装置において、移動局装置に対するＰＤＳＣＨが割り当てられるコンポーネントキャリアの数に応じてＵＥ−ｓｐｅｃｉｆｉｃサーチスペースのサイズを適応的に制御するステップと、制御された結果を反映した制御情報を生成するステップと、前記制御情報をＲＲＣシグナリングにより前記移動局装置に送信するステップと、前記移動局装置において、前記制御信号を受信するステップと、前記制御情報により指定されるＵＥ−ｓｐｅｃｉｆｉｃサーチスペースのブラインド検出処理を実行するステップとを具備することを特徴とする。
【００１５】
この方法によれば、移動局装置に対するＰＤＳＣＨが割り当てられるコンポーネントキャリアの数に応じてＵＥ−ｓｐｅｃｉｆｉｃサーチスペースのサイズが適応的に制御されることから、ＰＤＳＣＨが割り当てられるコンポーネントキャリアの数に応じてＵＥ−ｓｐｅｃｉｆｉｃサーチスペースを拡大又は縮小できる。これにより、拡大した場合には、ＰＤＣＣＨがブロックされる事態を回避し易くすることができ、ＰＤＣＣＨブロッキングの発生を低減することができる一方、縮小した場合には、サーチスペースのサイズに伴って増大するブラインド検出処理の回数を低減でき、移動局装置におけるＰＤＣＣＨの誤検出を抑制することが可能となる。
【発明の効果】
【００１６】
本発明によれば、移動局装置に対するＰＤＳＣＨが割り当てられるコンポーネントキャリアの数に応じてＵＥ−ｓｐｅｃｉｆｉｃサーチスペースのサイズが適応的に制御されることから、ＰＤＣＣＨの数に応じてＵＥ−ｓｐｅｃｉｆｉｃサーチスペースを拡大又は縮小できる。これにより、拡大した場合には、ＰＤＣＣＨがブロックされる事態を回避し易くすることができ、ＰＤＣＣＨブロッキングの発生を低減することができる一方、縮小した場合には、サーチスペースのサイズに伴って増大するブラインド検出処理の回数を低減でき、移動局装置におけるＰＤＣＣＨの誤検出を抑制することが可能となる。
【図面の簡単な説明】
【００１７】
【図１】ＬＴＥ及びＬＴＥ-Ａシステムのシステム帯域を説明するための図である。
【図２】ＬＴＥ-Ａシステムのシステム帯域において、ＰＤＣＣＨを送る方法を説明するための模式図である。
【図３】本発明に係る基地局装置から移動局装置に通知されるＰＤＣＣＨ及びＰＤＳＣＨに関する情報について説明するための模式図である。
【図４】本発明に係る基地局装置から移動局装置に通知されるＰＤＣＣＨ及びＰＤＳＣＨに関する情報について説明するための模式図である。
【図５】本発明に係る基地局装置から移動局装置に通知されるＰＤＣＣＨ及びＰＤＳＣＨに関する情報について説明するための模式図である。
【図６】本発明に係る基地局装置から移動局装置に通知される切替設定情報の一例を示す図である。
【図７】本発明の一実施の形態に係る移動通信システムの構成を説明するための図である。
【図８】上記実施の形態に係る基地局装置の全体構成を示すブロック図である。
【図９】上記実施の形態に係る移動局装置の全体構成を示すブロック図である。
【図１０】上記実施の形態に係る基地局装置が有するベースバンド信号処理部の機能ブロック図である。
【図１１】上記実施の形態に係る移動局装置が有するベースバンド信号処理部の機能ブロック図である。
【発明を実施するための形態】
【００１８】
図１は、ＬＴＥ及びＬＴＥ-Ａシステムのシステム帯域を説明するための図である。図１に示す例は、複数の基本周波数ブロックで構成される第１システム帯域を持つ第１移動通信システムであるＬＴＥ−Ａシステムと、一つの基本周波数ブロックで構成される第２システム帯域を持つ第２移動通信システムであるＬＴＥシステムが併存する場合の階層型帯域幅構成である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数ブロックとなっている。ＬＴＥ−Ａでは基本周波数ブロックをコンポーネントキャリア（ＣＣ）と呼ぶ。このように複数の基本周波数ブロックを結合して広帯域化することをキャリアアグリゲーションという。
【００１９】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動局装置ＵＥ（User  Equipment）＃１は、ＬＴＥ−Ａシステム対応（ＬＴＥシステムにも対応）の移動局装置であり、１００ＭＨｚまでのシステム帯域に対応可能である。ＵＥ＃２は、ＬＴＥ−Ａシステム対応（ＬＴＥシステムにも対応）の移動局装置であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）の移動局装置であり、２０ＭＨｚ（ベース帯域）までのシステム帯域に対応可能である。
【００２０】
このように広帯域化されたシステム帯域での無線通信において、ＰＤＳＣＨの受信に必要なＰＤＣＣＨを送る方法として、図２（Ａ）、（Ｂ）に示す２つの方法が考えられる。図２（Ａ）に示す方法では、ＰＤＳＣＨとそのＰＤＣＣＨとが同じコンポーネントキャリアで送られる。具体的には、移動局装置ＵＥ＃１に対するＰＤＳＣＨ（ＵＥ＃１）がコンポーネントキャリアＣＣ＃１に割り当てられ、移動局装置ＵＥ＃２に対するＰＤＳＣＨ（ＵＥ＃２）が異なるコンポーネントキャリアＣＣ＃２に割り当てられている。ＰＤＳＣＨ（ＵＥ＃１）に関する制御情報であるＰＤＣＣＨは、ＰＤＳＣＨ（ＵＥ＃１）と同じコンポーネントキャリアＣＣ＃１で送られ、ＰＤＳＣＨ（ＵＥ＃２）に関する制御情報であるＰＤＣＣＨは、ＰＤＳＣＨ（ＵＥ＃２）と同じコンポーネントキャリアＣＣ＃２で送られる。ユーザ端末は、ＰＤＣＣＨを復号してＰＤＳＣＨの制御情報を取得し、その制御情報にしたがってＰＤＳＣＨを復号する。
【００２１】
図２（Ｂ）に示す方法では、複数（ここでは、２つ）の異なるコンポーネントキャリアに割り当てられたＰＤＳＣＨのＰＤＣＣＨが１つのコンポーネントキャリアで送られる。具体的には、移動局装置ＵＥ＃１に対するＰＤＳＣＨ（ＵＥ＃１）がコンポーネントキャリアＣＣ＃１、＃２に割り当てられている。これらのＰＤＳＣＨ（ＵＥ＃１）に関する制御情報であるＰＤＣＣＨは、コンポーネントキャリアＣＣ＃１で送られる。このようにＰＤＣＣＨを割り当てる際には、ＰＤＣＣＨにおける３ビットのＣＩＦ（Carrier  Indicator  Field）が利用される。ＣＩＦにおいては、同一のＤＣＩ（Downlink  Control  Information）フォーマットのサイズ（同一の帯域幅及び同一の送信モード）のコンポーネントキャリアに割り当てられるＰＤＳＣＨのＰＤＣＣＨに限って１つのコンポーネントキャリアに割り当てることができる。
【００２２】
図２（Ｂ）に示すように、コンポーネントキャリアＣＣ＃２に割り当てられたＰＤＳＣＨ（＃ＵＥ１）に対応するＰＤＣＣＨを、ＰＤＳＣＨ（＃ＵＥ１）が割り当てられるコンポーネントキャリアＣＣ＃２と異なるコンポーネントキャリアＣＣ＃１で送る場合において、ＬＴＥシステムと同様のＵＥ−ｓｐｅｃｉｆｉｃサーチスペースを定義する場合には、ＵＥ＃１に対応するＰＤＣＣＨの数が大きくなることから、ＰＤＣＣＨブロッキングが発生する確率が増大し得る。
【００２３】
本発明者は、キャリアアグリゲーションによってシステム帯域が広帯域化されるＬＴＥ−Ａシステムにおいて、ＬＴＥシステムと同様のＵＥ−ｓｐｅｃｉｆｉｃサーチスペースを定義する場合には、移動局装置ＵＥに対するＰＤＳＣＨに対してＵＥ−ｓｐｅｃｉｆｉｃサーチスペースのサイズが不十分であり、そのＵＥ−ｓｐｅｃｉｆｉｃサーチスペース内にＰＤＣＣＨを割り当てることが前提となるため、ＰＤＣＣＨブロッキングの発生確率が増大し得る点に着目した。
【００２４】
このような事態に対応するため、本発明においては、基地局装置ｅＮｏｄｅＢにおいて、移動局装置ＵＥに対するＰＤＳＣＨが割り当てられるコンポーネントキャリアＣＣの数に応じてＵＥ−ｓｐｅｃｉｆｉｃサーチスペースのサイズを適応的に制御する。これにより、ＰＤＣＣＨの数が大きくなった場合には、ＵＥ−ｓｐｅｃｉｆｉｃサーチスペースを拡大できることから、他の移動局装置ＵＥに対するＰＤＣＣＨによってブロックされる事態を回避し易くすることができるので、ＰＤＣＣＨブロッキングの発生を低減することができる。一方、ＰＤＣＣＨの数が小さくなった場合（或いは無くなった場合）には、ＵＥ−ｓｐｅｃｉｆｉｃサーチスペースを縮小（或いは削減）できることから、サーチスペースのサイズに伴って増大するブラインド検出処理の回数を低減することができるので、ＰＤＣＣＨの誤検出を抑制することができる。
【００２５】
このようにＵＥ−ｓｐｅｃｉｆｉｃサーチスペースのサイズを適応的に制御した場合、基地局装置ｅＮｏｄｅＢにおいては、その制御結果を反映した制御情報を生成し、当該制御情報をＰＤＣＣＨ及びＰＤＳＣＨに関する情報としてＲＲＣシグナリングによって移動局装置ＵＥに通知する。以下、基地局装置ｅＮｏｄｅＢからＰＤＣＣＨ及びＰＤＳＣＨに関する情報を移動局装置ＵＥに通知する際の複数の態様について説明する。
【００２６】
本発明の第１の態様において、基地局装置ｅＮｏｄｅＢは、ＰＤＣＣＨ及びＰＤＳＣＨに関する情報として、システム帯域を構成するコンポーネントキャリアＣＣ毎に移動局装置ＵＥに対するＰＤＣＣＨ及びＰＤＳＣＨの割当ての有無（オン／オフ）を移動局装置ＵＥに通知する。すなわち、第１の態様においては、移動局装置ＵＥに対するＰＤＳＣＨの割当ての有無を通知することで、ＰＤＳＣＨの割当て数を通じて適応的に制御したＵＥ−ｓｐｅｃｉｆｉｃサーチスペースを移動局装置ＵＥに通知するものである。
【００２７】
図３は、本発明の第１の態様において、基地局装置ｅＮｏｄｅＢから移動局装置ＵＥに通知されるＰＤＣＣＨ及びＰＤＳＣＨに関する情報について説明するための模式図である。図３においては、システム帯域がコンポーネントキャリアＣＣ＃１〜＃４により構成されているものとする。また、コンポーネントキャリアＣＣ＃１〜＃３は２０ＭＨｚの帯域を有し、コンポーネントキャリアＣＣ＃４は１０ＭＨｚの帯域を有するものとする。さらに、コンポーネントキャリアＣＣ＃１、＃２及び＃４については送信モードがクローズドループの空間多重モードであり、コンポーネントキャリアＣＣ＃３については送信モードが送信ダイバーシチモードであるものとする。
【００２８】
図３に示す例においては、コンポーネントキャリアＣＣ＃１〜＃３に、それぞれ移動局装置ＵＥ＃１に対するＰＤＳＣＨ−１〜３が割り当てられ、コンポーネントキャリアＣＣ＃４にはＰＤＳＣＨが割り当てられていない。また、ＰＤＳＣＨ−１、２に関する制御情報であるＰＤＣＣＨは、コンポーネントキャリアＣＣ＃１に割り当てられ、ＰＤＳＣＨ−３に関する制御情報であるＰＤＣＣＨは、コンポーネントキャリアＣＣ＃３に割り当てられている。
【００２９】
第１の態様の場合、基地局装置ｅＮｏｄｅＢにおいては、コンポーネントキャリアＣＣ＃１に関し、ＰＤＣＣＨ及びＰＤＳＣＨが割り当てられる旨を通知し、コンポーネントキャリアＣＣ＃２に関し、ＰＤＣＣＨが割り当てられていない旨及びＰＤＳＣＨが割り当てられる旨を通知する。同様に、コンポーネントキャリアＣＣ＃３に関しては、ＰＤＣＣＨ及びＰＤＳＣＨが割り当てられる旨を通知し、コンポーネントキャリアＣＣ＃４に関しては、ＰＤＣＣＨ及びＰＤＳＣＨが割り当てられていない旨を通知する。ＰＤＣＣＨ及びＰＤＳＣＨが割り当てられる場合をオンとし、割り当てられない場合をオフとすると、以下のような通知内容となる。
ＣＣ＃１：ＰＤＳＣＨ＝オン、ＰＤＣＣＨ＝オン
ＣＣ＃２：ＰＤＳＣＨ＝オン、ＰＤＣＣＨ＝オフ
ＣＣ＃３：ＰＤＳＣＨ＝オン、ＰＤＣＣＨ＝オン
ＣＣ＃４：ＰＤＳＣＨ＝オフ、ＰＤＣＣＨ＝オフ
【００３０】
移動局装置ＵＥにおいては、このように通知されるＰＤＳＣＨの割当ての有無に応じてＵＥ−ｓｐｅｃｉｆｉｃサーチスペースを把握することができ、自装置向けのＰＤＳＣＨの制御情報であるＰＤＣＣＨのブラインド検出を必要な範囲に限って行うことが可能となる。また、ＰＤＣＣＨの割当ての有無が通知されることから、ＰＤＣＣＨが割り当てられていないコンポーネントキャリアＣＣを把握することができるので、ブラインド検出処理の回数を低減することができ、ＰＤＣＣＨの誤検出を抑制することが可能となる。
【００３１】
本発明の第２の態様において、基地局装置ｅＮｏｄｅＢは、ＰＤＣＣＨ及びＰＤＳＣＨに関する情報として、システム帯域を構成するコンポーネントキャリアＣＣ毎の移動局装置ＵＥに対するＰＤＣＣＨ及びＰＤＳＣＨの割当ての有無（オン／オフ）と、ＵＥ−ｓｐｅｃｉｆｉｃサーチスペースのサイズとを移動局装置ＵＥに通知する。すなわち、第２の態様においては、ＵＥ−ｓｐｅｃｉｆｉｃサーチスペースのサイズを通知することで、適応的に制御したＵＥ−ｓｐｅｃｉｆｉｃサーチスペースを移動局装置ＵＥに通知するものである。
【００３２】
ここで、ＵＥ−ｓｐｅｃｉｆｉｃサーチスペースのサイズを移動局装置ＵＥに通知する場合においては、ＵＥ−ｓｐｅｃｉｆｉｃサーチスペースのサイズを識別する情報（以下、「サイズ識別情報」という）を決めておき、このサイズ識別情報で管理することが好ましい。例えば、サイズ識別情報としては、予め定められた範囲の一定数のＣＣＥで構成される「サイズ１」、このサイズ１の２倍のＣＣＥで構成される「サイズ２」、同様にサイズ１の３倍、４倍のＣＣＥで構成される「サイズ３」、「サイズ４」等として決めておくことが考えられる。第２の態様においては、このようなサイズ識別情報を用いてＵＥ−ｓｐｅｃｉｆｉｃサーチスペースのサイズが移動局装置ＵＥに通知される。
【００３３】
第２の態様の場合、図４に示す例を用いて説明すると、基地局装置ｅＮｏｄｅＢにおいては、コンポーネントキャリアＣＣ＃１に関し、ＰＤＣＣＨ及びＰＤＳＣＨが割り当てられる旨を通知すると共に、ＵＥ−ｓｐｅｃｉｆｉｃサーチスペースが「サイズ２」であることを通知する。また、コンポーネントキャリアＣＣ＃２に関しては、ＰＤＣＣＨが割り当てられていない旨及びＰＤＳＣＨが割り当てられる旨を通知する。コンポーネントキャリアＣＣ＃３に関しては、ＰＤＣＣＨ及びＰＤＳＣＨが割り当てられる旨を通知すると共に、ＵＥ−ｓｐｅｃｉｆｉｃサーチスペースが「サイズ１」であることを通知する。コンポーネントキャリアＣＣ＃４に関しては、ＰＤＣＣＨ及びＰＤＳＣＨが割り当てられていない旨を通知する。ＰＤＣＣＨ及びＰＤＳＣＨが割り当てられる場合をオンとし、割り当てられない場合をオフとすると、以下のような通知内容となる。
ＣＣ＃１：ＰＤＳＣＨ＝オン、ＰＤＣＣＨ＝オン，サイズ２
ＣＣ＃２：ＰＤＳＣＨ＝オン、ＰＤＣＣＨ＝オフ
ＣＣ＃３：ＰＤＳＣＨ＝オン、ＰＤＣＣＨ＝オン，サイズ１
ＣＣ＃４：ＰＤＳＣＨ＝オフ、ＰＤＣＣＨ＝オフ
【００３４】
移動局装置ＵＥにおいては、このように通知されるＵＥ−ｓｐｅｃｉｆｉｃサーチスペースのサイズに応じてＵＥ−ｓｐｅｃｉｆｉｃサーチスペースを把握することができ、自装置向けのＰＤＳＣＨの制御情報であるＰＤＣＣＨのブラインド検出を必要な範囲に限って行うことが可能となる。また、ＰＤＣＣＨの割当ての有無が通知されることから、ＰＤＣＣＨが割り当てられていないコンポーネントキャリアＣＣを把握することができるので、ブラインド検出処理の回数を低減することができ、ＰＤＣＣＨの誤検出を抑制することが可能となる。
【００３５】
本発明の第３の態様において、基地局装置ｅＮｏｄｅＢは、ＰＤＣＣＨ及びＰＤＳＣＨに関する情報として、ＤＣＩフォーマットのサイズ（以下、適宜「ＤＣＩサイズ」という）を基準にＰＤＣＣＨ及びＰＤＳＣＨが割り当てられるコンポーネントキャリアＣＣと、ＵＥ−ｓｐｅｃｉｆｉｃサーチスペースのサイズとを移動局装置ＵＥに通知する。すなわち、第３の態様においては、ＵＥ−ｓｐｅｃｉｆｉｃサーチスペースのサイズを通知することで、適応的に制御したＵＥ−ｓｐｅｃｉｆｉｃサーチスペースを移動局装置ＵＥに通知するものである。
【００３６】
図５は、本発明の第３の態様において、基地局装置ｅＮｏｄｅＢから移動局装置ＵＥに通知されるＰＤＣＣＨ及びＰＤＳＣＨに関する情報について説明するための模式図である。図５において、システム帯域を構成するコンポーネントキャリアＣＣ＃１〜＃４の帯域、並びに、これらに対応づけられる送信モードについては、図３と同様であるものとする。ＵＥ−ｓｐｅｃｉｆｉｃサーチスペースのサイズの通知には、第２の態様と同様に、サイズ識別情報が用いられる。
【００３７】
図５に示す例においては、コンポーネントキャリアＣＣ＃１〜＃４に移動局装置ＵＥ＃１に対するＰＤＳＣＨ−１〜４が割り当てられている。また、ＰＤＳＣＨ−１、２に関する制御情報であるＰＤＣＣＨは、コンポーネントキャリアＣＣ＃１に割り当てられ、ＰＤＳＣＨ−３、４に関する制御情報であるＰＤＣＣＨは、コンポーネントキャリアＣＣ＃３に割り当てられている。
【００３８】
ここで、ＤＣＩサイズは、コンポーネントキャリアＣＣの帯域と、送信モードとによって決定される。図５に示す例においては、コンポーネントキャリアＣＣ＃１、＃２においては、帯域が２０ＭＨｚであり、送信モードがクローズドループの空間多重モードであることから、ＤＣＩサイズが同一となる（以下においては、「ＤＣＩサイズ１」という）。コンポーネントキャリアＣＣ＃３においては、帯域が２０ＭＨｚであり、コンポーネントキャリアＣＣ＃１、＃２と共通するが、送信モードが送信ダイバーシチモードであることから、コンポーネントキャリアＣＣ＃１、＃２とは異なるＤＣＩサイズとなる（以下においては、「ＤＣＩサイズ２」という）。同様に、コンポーネントキャリアＣＣ＃４においては、送信モードがクローズドループの空間多重モードであり、コンポーネントキャリアＣＣ＃１、＃２と共通するが、帯域が１０ＭＨｚであることから、コンポーネントキャリアＣＣ＃１〜＃３とは異なるＤＣＩサイズとなる（以下においては、「ＤＣＩサイズ３」という）。
【００３９】
この場合、基地局装置ｅＮｏｄｅＢにおいては、ＤＣＩサイズ１に対応するＰＤＳＣＨがコンポーネントキャリアＣＣ＃１、＃２に割り当てられると共に、ＤＣＩサイズ１に対応するＰＤＣＣＨがコンポーネントキャリアＣＣ＃１に割り当てられる旨を通知し、更にＵＥ−ｓｐｅｃｉｆｉｃサーチスペースが「サイズ２」である旨を通知する。また、ＤＣＩサイズ２に対応するＰＤＳＣＨがコンポーネントキャリアＣＣ＃３に割り当てられると共に、ＤＣＩサイズ２に対応するＰＤＣＣＨがコンポーネントキャリアＣＣ＃３に割り当てられる旨を通知し、更にＵＥ−ｓｐｅｃｉｆｉｃサーチスペースが「サイズ１」である旨を通知する。さらに、ＤＣＩサイズ３に対応するＰＤＳＣＨがコンポーネントキャリアＣＣ＃４に割り当てられると共に、ＤＣＩサイズ３に対応するＰＤＣＣＨがコンポーネントキャリアＣＣ＃３に割り当てられる旨を通知し、更にＵＥ−ｓｐｅｃｉｆｉｃサーチスペースが「サイズ１」である旨を通知する。ＰＤＣＣＨ及びＰＤＳＣＨが割り当てられる場合をオンとし、割り当てられない場合をオフとすると、以下のような通知内容となる。
ＤＣＩサイズ１：ＰＤＳＣＨ＝ＣＣ＃１、＃２、ＰＤＣＣＨ＝ＣＣ＃１，サイズ２
ＤＣＩサイズ２：ＰＤＳＣＨ＝ＣＣ＃３、ＰＤＣＣＨ＝ＣＣ＃３，サイズ１
ＤＣＩサイズ３：ＰＤＳＣＨ＝ＣＣ＃４、＃２、ＰＤＣＣＨ＝ＣＣ＃３，サイズ１
【００４０】
移動局装置ＵＥにおいては、このように通知されるＵＥ−ｓｐｅｃｉｆｉｃサーチスペースのサイズに応じてＵＥ−ｓｐｅｃｉｆｉｃサーチスペースを把握することができ、自装置向けのＰＤＳＣＨの制御情報であるＰＤＣＣＨのブラインド検出を必要な範囲に限って行うことが可能となる。また、ＤＣＩサイズを基準にＰＤＣＣＨ及びＰＤＳＣＨが割り当てられるコンポーネントキャリアＣＣが通知されることから、ＰＤＣＣＨが割り当てられていないコンポーネントキャリアＣＣを把握することができるので、ブラインド検出処理の回数を低減することができ、ＰＤＣＣＨの誤検出を抑制することが可能となる。さらに、ＤＣＩサイズを基準にＰＤＣＣＨ及びＰＤＳＣＨが割り当てられるコンポーネントキャリアＣＣと、ＵＥ−ｓｐｅｃｉｆｉｃサーチスペースのサイズとが通知されることから、同一のＤＣＩサイズに関する情報を同時に移動局装置ＵＥに通知することができるので、ＰＤＣＣＨ及びＰＤＳＣＨに関する情報に必要となるビット数を低減することが可能となる。
【００４１】
ところで、現在、ＬＴＥ−Ａシステムにおいては、移動局装置ＵＥの電力消費を低減する観点から、コンポーネントキャリアＣＣの活性化／非活性化（ａｃｔｉｖａｔｉｏｎ／ｄｅａｃｔｉｖａｔｉｏｎ）が検討されている。このコンポーネントキャリアＣＣの活性化／非活性化においては、移動局装置ＵＥが無線通信に利用するコンポーネントキャリアＣＣの活性化／非活性化を切り替えることで、非活性化したコンポーネントキャリアＣＣ用に消費される電力を削減し、移動局装置ＵＥの電力消費を低減することが期待されている。また、このコンポーネントキャリアＣＣの活性化／非活性化においては、後続する無線通信の信頼性の観点から、コンポーネントキャリアＣＣの活性化／非活性化の切替えを確実且つ高速に移動局装置ＵＥに通知することが要請されている。
【００４２】
本発明の第１〜第３の態様においては、基地局装置ｅＮｏｄｅＢからＰＤＣＣＨ及びＰＤＳＣＨに関する情報をＲＲＣシグナリングによって移動局装置ＵＥに通知する。移動局装置ＵＥにおいては、この通知内容に応じてＰＤＣＣＨ及びＰＤＳＣＨが割り当てられたコンポーネントキャリアＣＣを把握でき、当該コンポーネントキャリアＣＣの活性化／非活性化を切り替えることができる。この場合において、ＰＤＣＣＨ及びＰＤＳＣＨに関する情報がＲＲＣシグナリングによって通知されることから、コンポーネントキャリアＣＣの活性化／非活性化の切替えを確実に移動局装置ＵＥに通知することが確保される。しかしながら、コンポーネントキャリアＣＣの活性化／非活性化の切替えを高速に通知するためには、更なる高速制御が必要となる。このため、基地局装置ｅＮｏｄｅＢにおいては、ＰＤＣＣＨ及びＰＤＳＣＨに関する情報に加え、コンポーネントキャリアＣＣの活性化／非活性化の切替えに必要な設定情報（以下、「切替設定情報」という）をＲＲＣシグナリングによって移動局装置ＵＥに通知すると共に、コンポーネントキャリアＣＣの活性化／非活性化を切り替える切替制御情報（以下、「切替制御情報」という）をＰＤＣＣＨによって通知する。
【００４３】
以下、基地局装置ｅＮｏｄｅＢからＰＤＣＣＨ及びＰＤＳＣＨに関する情報、切替設定情報及び切替制御情報を移動局装置ＵＥに通知する際の複数の態様について説明する。なお、以下に示す第４の態様は、上述した第１の態様に対してＲＲＣシグナリングに切替設定情報を追加する点、並びに、ＰＤＣＣＨによって切替制御情報を通知する点で相違する。以下においては、これらの相違点を中心に説明する。
【００４４】
本発明の第４の態様において、基地局装置ｅＮｏｄｅＢは、切替設定情報として、各コンポーネントキャリアＣＣに対応するＰＤＣＣＨ及びＰＤＳＣＨを識別する識別情報と、これらの識別情報に含まれるＰＤＣＣＨ及びＰＤＳＣＨの各コンポーネントキャリアＣＣへの割当ての有無（オン／オフ）を示す割当情報とをＲＲＣシグナリングによって移動局装置ＵＥに通知する。そして、このような切替設定情報を通知しておいた上で、基地局装置ｅＮｏｄｅＢは、切替設定情報に含まれる割当情報のオン／オフを切り替える切替制御情報をＰＤＣＣＨによって移動局装置ＵＥに通知する。
【００４５】
なお、ここでは、ＰＤＳＣＨ、ＰＤＣＣＨを同時にオン／オフする場合について説明しているが、この方法に限定されるものではなくＰＤＣＣＨ、ＰＤＳＣＨの両方を個別にオン／オフすることも可能である。さらに、少なくともＰＤＳＣＨは、ＰＤＣＣＨよりも大きいセットとなるため、ＰＤＳＣＨのオン／オフに連動させて対応するＰＤＣＣＨのオン／オフを切り替える一方、ＰＤＣＣＨのみをオフしてもＰＤＳＣＨはオフされないようにすることも可能である。
【００４６】
図６は、基地局装置ｅＮｏｄｅＢから移動局装置ＵＥに通知される切替設定情報の一例を示す図である。図６に示すように、切替設定情報においては、コンポーネントキャリアＣＣ＃１に対応するＰＤＣＣＨ＃１及びＰＤＳＣＨ＃１を識別するための識別情報ＩＤ＃１と、同様に、コンポーネントキャリアＣＣ＃２〜＃５に対応するＰＤＣＣＨ＃２〜＃５及びＰＤＳＣＨ＃２〜＃５を識別するための識別情報ＩＤ＃２〜＃５とが定義されると共に、これらの識別情報ＩＤ＃１〜＃５のＰＤＣＣＨ＃１〜＃５及びＰＤＳＣＨ＃１〜＃５の各コンポーネントキャリアＣＣへの割当てのオン／オフを示す割当情報が定義されている。
【００４７】
基地局装置ｅＮｏｄｅＢにおいては、このような切替設定情報をＲＲＣシグナリングによって移動局装置ＵＥに通知する。この際、切替設定情報に含まれる割当情報は、全てオンとした状態で移動局装置ＵＥに通知される。そして、特定のコンポーネントキャリアＣＣに対するＰＤＳＣＨの割当てを解除する場合には、当該コンポーネントキャリアＣＣに対応する割当情報をオフする切替制御情報をＰＤＣＣＨによって移動局装置ＵＥに通知する。すなわち、移動局装置ＵＥにおいては、ＲＲＣシグナリングにより全ての割当情報がオンとされた識別情報を含む切替設定情報が通知されると共に、ＰＤＣＣＨにより特定のコンポーネントキャリアＣＣに対応する割当情報をオフする切替制御情報が通知されることとなる。
【００４８】
第４の態様について具体例を用いて説明する。ここでは、基地局装置ｅＮｏｄｅＢからＲＲＣシグナリングにより全ての割当情報がオンとされた切替設定情報が移動局装置ＵＥに通知されているものとする。今、基地局装置ｅＮｏｄｅＢが移動局装置ＵＥとの間でコンポーネントキャリアＣＣ＃１、＃２にＰＤＳＣＨを割り当てて無線通信を行っているものとする。ここで、基地局装置ｅＮｏｄｅＢが移動局装置ＵＥとの間でコンポーネントキャリアＣＣ＃２にＰＤＳＣＨを割り当てる必要がなくなったものとする。この場合、基地局装置ｅＮｏｄｅＢにおいては、コンポーネントキャリアＣＣ＃２に対応するＰＤＳＣＨ＃２の割当てをオフとする切替制御情報をＰＤＣＣＨにより通知する。この際、切替制御情報には、識別情報ＩＤ＃２と、割当情報のオフを示す信号のみが含まれる。移動局装置ＵＥにおいては、このＰＤＣＣＨを受信することにより、コンポーネントキャリアＣＣ＃２に対応するＰＤＳＣＨ＃２の割当てが無くなったことを検出することができる。
【００４９】
このように第４の態様においては、ＰＤＣＣＨ及びＰＤＳＣＨに関する情報に加え、全ての割当情報がオンとされた識別情報を含む切替設定情報をＲＲＣシグナリングによって移動局装置ＵＥに通知すると共に、特定の識別情報の割当情報をオフする切替制御情報をＰＤＣＣＨによって移動局装置ＵＥに通知する。これにより、上述した第１の態様で得られる効果に加え、優れた信頼性に優れたＲＲＣシグナリングを利用して切替設定情報を通知すると共に、高速制御性に優れたＰＤＣＣＨを利用して切替制御情報を通知することができるので、各コンポーネントキャリアＣＣの活性化／非活性化の切替えを確実且つ高速に移動局装置ＵＥに通知することが可能となる。
【００５０】
本発明の第５の態様においては、上述した第２の態様に対してＲＲＣシグナリングに切替設定情報を追加する点、並びに、ＰＤＣＣＨによって切替制御情報を通知する点で相違する。そして、これらの切替設定情報及び切替制御情報の内容は、第４の態様と同様である。このため、第５の態様においては、上述した第２の態様で得られる効果に加え、各コンポーネントキャリアＣＣの活性化／非活性化の切替えを確実且つ高速に移動局装置ＵＥに通知することが可能となる。
【００５１】
また、本発明の第６の態様においては、上述した第３の態様に対してＲＲＣシグナリングに切替設定情報を追加する点、並びに、ＰＤＣＣＨによって切替制御情報を通知する点で相違する。そして、これらの切替設定情報及び切替制御情報の内容は、第４の態様と同様である。このため、第６の態様においては、上述した第３の態様で得られる効果に加え、各コンポーネントキャリアＣＣの活性化／非活性化の切替えを確実且つ高速に移動局装置ＵＥに通知することが可能となる。
【００５２】
以下、本発明の実施の形態について、添付図面を参照して詳細に説明する。ここでは、ＬＴＥ−Ａシステムに対応する基地局装置及び移動局装置を用いる場合について説明する。
【００５３】
図７を参照しながら、本発明の一実施の形態に係る移動局装置（ＵＥ）１０及び基地局装置（ｅＮｏｄｅＢ）２０を有する移動通信システム１について説明する。図７は、本発明の一実施の形態に係る移動局装置１０及び基地局装置２０を有する移動通信システム１の構成を説明するための図である。なお、図７に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００５４】
図７に示すように、移動通信システム１は、基地局装置２０と、この基地局装置２０と通信する複数の移動局装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動局装置１０は、セル５０において基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００５５】
各移動局装置（１０１、１０２、１０３、・・・１０ｎ）は、同一の構成、機能、状態を有するので、以下においては、特段の断りがない限り移動局装置１０として説明を進める。また、説明の便宜上、基地局装置２０と無線通信するのは移動局装置１０であるものとして説明するが、より一般的には移動局装置も固定端末装置も含むユーザ装置（ＵＥ：User  Equipment）でよい。
【００５６】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５７】
ここで、ＬＴＥシステムにおける通信チャネルについて説明する。下りリンクについては、各移動局装置１０で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、基地局装置２０で移動局装置１０に割り当てたコンポーネントキャリアＣＣやスケジューリング情報は、Ｌ１／Ｌ２制御チャネルにより移動局装置１０に通知される。
【００５８】
上りリンクについては、各移動局装置１０で共有して使用されるＰＵＳＣＨ（Physical  Uplink  Shared  Channel）と、上りリンクの制御チャネルであるＰＵＣＣＨ（Physical  Uplink  Control  Channel）とが用いられる。このＰＵＳＣＨにより、ユーザデータが伝送される。また、ＰＵＣＣＨにより、下りリンクの無線品質情報（ＣＱＩ:Channel  Quality  Indicator）等が伝送される。
【００５９】
図８を参照しながら、本実施の形態に係る基地局装置２０の全体構成について説明する。基地局装置２０は、送受信アンテナ２１と、アンプ部２２と、送受信部２３と、ベースバンド信号処理部２４と、呼処理部２５と、伝送路インターフェース２６とを備えている。これらの送受信アンテナ２１と、アンプ部２２と、送受信部２３と、ベースバンド信号処理部２４とで送信手段が構成される。
【００６０】
下りリンクにより基地局装置２０から移動局装置１０に送信されるユーザデータは、基地局装置２０の上位に位置する上位局装置３０から伝送路インターフェース２６を介してベースバンド信号処理部２４に入力される。
【００６１】
ベースバンド信号処理部２４において、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱ（Hybrid  Automatic  Repeat  reQuest）の送信処理、スケジューリング、伝送フォーマット選択、チャネル符号化、逆高速フーリエ変換（ＩＦＦＴ:Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われて、送受信部２３に転送される。
【００６２】
送受信部２３においては、ベースバンド信号処理部２４から出力されたベースバンド信号を無線周波数帯に変換する周波数変換処理が施され、その後、アンプ部２２で増幅されて送受信アンテナ２１より送信される。
【００６３】
一方、上りリンクにより移動局装置１０から基地局装置２０に送信される信号については、送受信アンテナ２１で受信された無線周波数信号がアンプ部２２で増幅される。そして、送受信部２３で周波数変換されてベースバンド信号に変換された後、ベースバンド信号処理部２４に入力される。
【００６４】
ベースバンド信号処理部２４においては、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２０６を介して上位局装置３０に転送される。
【００６５】
呼処理部２５は、通信チャネルの設定や解放等の呼処理や、基地局装置２０の状態管理や、無線リソースの管理を行う。
【００６６】
次に、図９を参照しながら、本実施の形態に係る移動局装置１０の全体構成について説明する。ＬＴＥ端末もＬＴＥ-Ａ端末もハードウエアの主要部構成は同じであるので、区別せずに説明する。移動局装置１０は、送受信アンテナ１１と、アンプ部１２と、送受信部１３と、ベースバンド信号処理部１４と、アプリケーション部１５とを備えている。これらの送受信アンテナ１１と、アンプ部１２と、送受信部１３と、ベースバンド信号処理部１４の一部とで受信手段が構成される。
【００６７】
下りリンクのデータについては、送受信アンテナ１１で受信された無線周波数信号がアンプ部１２で増幅され、送受信部１３で周波数変換されてベースバンド信号に変換される。このベースバンド信号は、ベースバンド信号処理部１４でＦＦＴ処理や、誤り訂正復号、再送制御の受信処理等がなされる。この下りリンクのデータの内、下りリンクのユーザデータは、アプリケーション部１５に転送される。アプリケーション部１５は、物理レイヤやＭＡＣレイヤより上位のレイヤに関する処理等を行う。また、下りリンクのデータの内、報知情報も、アプリケーション部１５に転送される。
【００６８】
一方、上りリンクのユーザデータについては、アプリケーション部１５からベースバンド信号処理部１４に入力される。ベースバンド信号処理部１４においては、再送制御（Ｈ−ＡＲＱ（Hybrid  ARQ））の送信処理や、チャネル符号化、ＤＦＴ処理、ＩＦＦＴ処理等が行われて送受信部１３に転送される。送受信部１３においては、ベースバンド信号処理部１４から出力されたベースバンド信号を無線周波数帯に変換する周波数変換処理が施され、その後、アンプ部１２で増幅されて送受信アンテナ１１より送信される。
【００６９】
図１０は、本実施の形態に係る基地局装置２０が有するベースバンド信号処理部２４の機能ブロック図であり、主にベースバンド信号処理部２４における送信処理部の機能ブロックを示している。なお、図１０においては、基地局装置２０の配下となる移動局装置１０に対する送信データが上位局装置３０から基地局装置２０に対して転送される下りリンク構成について説明する。また、図１０においては、コンポーネントキャリア数がＭ個（ＣＣ＃１〜ＣＣ＃Ｍ）の移動通信システム１に対応した基地局装置２０の構成が例示されている。
【００７０】
データ生成部２００（２００＃１〜２００＃Ｎ）は、上位局装置３０から転送された送信データからユーザ毎のユーザデータを生成する。制御情報生成部２０１（２０１＃１〜２０１＃Ｎ）は、制御情報生成手段を構成するものであり、上述したＰＤＣＣＨ及びＰＤＳＣＨに関する情報や切替設定情報を含む、ＲＲＣシグナリングで移動局装置１０に通知する上位制御信号をユーザ別に生成する。第１の態様においては、コンポーネントキャリアＣＣ毎に移動局装置１０に対するＰＤＣＣＨ及びＰＤＳＣＨの割当ての有無を含む上位制御信号をユーザ別に生成し、第２の態様においては、これに加えてＵＥ−ｓｐｅｃｉｆｉｃサーチスペースのサイズを含む上位制御信号をユーザ別に生成する。また、第３の態様においては、ＤＣＩサイズを基準にＰＤＣＣＨ及びＰＤＳＣＨが割り当てられるコンポーネントキャリアＣＣと、ＵＥ−ｓｐｅｃｉｆｉｃサーチスペースのサイズとを含む上位制御信号を生成する。さらに、第４〜第６の態様においては、第１〜第３の態様における上位制御信号に加え、識別情報及び割当情報を含む上位制御信号を生成する。
【００７１】
コンポーネントキャリア選択部２０２（２０２＃１〜２０２＃Ｎ）は、移動局装置１０との無線通信に使用されるコンポーネントキャリアをユーザ毎に選択する。サーチスペース（ＳＳ）サイズ適応制御部２０３（２０３＃１〜２０３＃Ｎ）は、制御手段を構成するものであり、コンポーネントキャリア選択部２０２により選択されたコンポーネントキャリアの数に応じてＵＥ−ｓｐｅｃｉｆｉｃサーチスペースのサイズをユーザ毎に適応的に制御する。ＳＳサイズ適応制御部２２１により適応的に制御されたＵＥ−ｓｐｅｃｉｆｉｃサーチスペースのサイズに関する情報は、制御情報生成部２０１に入力され、上位制御信号の生成に利用される。
【００７２】
スケジューリング部２０４は、コンポーネントキャリアＣＣ＃１に関するリソース割り当てを制御しており、ＬＴＥ端末ユーザとＬＴＥ−Ａ端末ユーザとを区別してスケジューリングを行う。スケジューリング部２０４には、上位局装置３０から送信データ及び再送指示が入力されると共に、上りリンクの信号を測定した受信部からチャネル推定値やリソースブロックのＣＱＩが入力される。スケジューリング部２０４は、これらの上位局装置３０から入力された再送指示、チャネル推定値及びＣＱＩを参照しながら、上下制御信号及び上下共有チャネル信号のスケジューリングを行う。移動通信における伝搬路は、周波数選択性フェージングにより周波数ごとに変動が異なる。そこで、ユーザ端末へのユーザデータ送信時に、各ユーザ端末に対してサブフレーム毎に通信品質の良好なリソースブロックを割り当てる適応周波数スケジューリングが適用される。適応周波数スケジューリングでは、各リソースブロックに対して伝搬路品質の良好なユーザ端末を選択して割り当てる。そのため、スケジューリング部２０４は、各ユーザ端末からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。
【００７３】
ベースバンド信号処理部２４は、データ生成部２００から出力されるユーザデータ及び制御情報生成部２０１から出力される制御信号を伝送する共有データチャネル（ＰＤＳＣＨ）をユーザ毎にチャネル符号化するチャネル符号化部２０５（２０５＃１〜２０５＃Ｎ）と、チャネル符号化された送信データをユーザ毎に変調する変調部２０６（２０６＃１〜２０６＃Ｎ）と、変調された送信データを無線リソースにマッピングするマッピング部２０７（２０７＃１〜２０７＃Ｎ）とを備えている。
【００７４】
また、ベースバンド信号処理部２４は、ユーザ固有の下り制御情報である下り共有データチャネル用制御情報を生成する下り制御情報生成部２０８（２０８＃１〜２０８＃Ｎ）と、ユーザ共通の下り制御情報である下り共通制御チャネル用制御情報を生成する下り共通チャネル用制御情報生成部２０９とを備えている。下り制御情報生成部２０８は、切替制御情報生成手段を構成するものであり、上述した切替制御情報を含む、ＰＤＣＣＨで移動局装置１０に通知する制御信号をユーザ別に生成する。ベースバンド信号処理部２４は、下り制御情報生成部２０８で生成される制御情報をユーザ毎にチャネル符号化するチャネル符号化部２１０（２１０＃１〜２１０＃Ｎ）と、下り共通チャネル用制御情報生成部２０９で生成された下り共通制御チャネル用制御情報をチャネル符号化するチャネル符号化部２１１と、チャネル符号化部２１０、２１１でチャネル符号化された下り制御情報を変調する変調部２１２（２１２＃１〜２１２＃Ｎ）、２１３とを備えている。
【００７５】
さらに、ベースバンド信号処理部２４は、上り共有データチャネル（ＰＵＳＣＨ）を制御するための制御情報である上り共有データチャネル用制御情報をユーザ毎に生成する上り制御情報生成部２１４（２１４＃１〜２１４＃Ｎ）と、生成した上り共有データチャネル用制御情報をユーザ毎にチャネル符号化するチャネル符号化部２１５（２１５＃１〜２１５＃Ｎ）と、チャネル符号化された上り共有データチャネル用制御情報をユーザ毎に変調する変調部２１６（２１６＃１〜２１６＃Ｎ）とを備える。上り制御情報生成部２１４は、ＬＴＥ端末ユーザとＬＴＥ−Ａ端末ユーザとを区別して上り共有データチャネル用制御情報を生成する。
【００７６】
上記変調部２１２、２１３及び２１６でユーザ毎に変調された制御情報は、制御チャネル多重部２１７で多重され、さらにインタリーブ部２１８でインタリーブされる。インタリーブ部２１８から出力される制御信号及びマッピング部２１７から出力される送信データは、下りチャネル信号としてＩＦＦＴ部２１９へ入力される。ＩＦＦＴ部２１９は、下りチャネル信号を逆高速フーリエ変換して周波数領域の信号から時系列の信号に変換する。サイクリックプレフィックス（ＣＰ）挿入部２２０は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２３に送出される。
【００７７】
このように基地局装置２０においては、ＳＳサイズ適応制御部２２１によりコンポーネントキャリアの数に応じてＵＥ−ｓｐｅｃｉｆｉｃサーチスペースのサイズをユーザ毎に適応的に制御する。これにより、ＰＤＣＣＨに応じて適応的にＵＥ−ｓｐｅｃｉｆｉｃサーチスペースのサイズを調整することができる。この結果、ＰＤＣＣＨの数が大きくなった場合には、ＵＥ−ｓｐｅｃｉｆｉｃサーチスペースを拡大できることから、他の移動局装置ＵＥに対するＰＤＣＣＨによってブロックされる事態を回避し易くすることができるので、ＰＤＣＣＨブロッキングの発生を低減することができる。一方、ＰＤＣＣＨの数が小さくなった場合（或いは無くなった場合）には、ＵＥ−ｓｐｅｃｉｆｉｃサーチスペースを縮小（或いは削減）できることから、サーチスペースのサイズに伴って増大するブラインド検出処理の回数を低減することができるので、移動局装置１０におけるＰＤＣＣＨの誤検出を抑制することができる。
【００７８】
また、基地局装置２０においては、このように適応的に制御されたＵＥ−ｓｐｅｃｉｆｉｃサーチスペースのサイズに基づいて、制御情報生成部２０１によりＰＤＣＣＨ及びＰＤＳＣＨに関する情報や切替設定情報を含む、ＲＲＣシグナリングで移動局装置１０に通知する上位制御信号をユーザ別に生成する。これにより、ＲＲＣシグナリングにより、ＰＤＣＣＨ及びＰＤＳＣＨに関する情報や切替設定情報を確実に移動局装置１０に通知することが可能となる。
【００７９】
図１１は、本実施の形態に係る移動局装置１０が有するベースバンド信号処理部１４の機能ブロック図であり、主にベースバンド信号処理部１４における送信処理部の機能ブロックを示している。まず、移動局装置１０の下りリンク構成について説明する。
【００８０】
基地局装置２０から受信データとして受信された下りチャネル信号は、サイクリックプレフィックス除去部１０１でサイクリックプレフィックスが除去される。サイクリックプレフィックスが除去された下りチャネル信号は、ＦＦＴ部１０２へ入力される。ＦＦＴ部１０２は、下りチャネル信号を高速フーリエ変換（ＦＦＴ：Fast  Fourier  Transform）して時系列の信号から周波数領域の信号に変換し、デマッピング部１０３へ入力する。デマッピング部１０３は、下りチャネル信号をデマッピングし、下りチャネル信号から複数の制御情報が多重された多重制御情報、ユーザデータ、上位制御信号を取り出す。なお、デマッピング部１０３によるデマッピング処理は、アプリケーション部１５から入力される上位制御信号に基づいて行われるが、そのデマッピング処理については後述する。デマッピング部１０３から出力された多重制御情報は、デインタリーブ部１０４でデインタリーブされる。
【００８１】
また、ベースバンド信号処理部１４は、多重制御情報から下り共通制御チャネル用制御情報を復調する共通制御チャネル用制御情報復調部１０５と、多重制御情報から上り共有データチャネル用制御情報を復調する上り共有データチャネル用制御情報復調部１０６と、多重制御情報から下り共有データチャネル用制御情報を復調する下り共有データチャネル用制御情報復調部１０７と、ユーザデータ及び上位制御信号を復調する下り共有データ復調部１０８と、下り共通チャネルデータを復調する下り共通チャネルデータ復調部１０９とを備えている。
【００８２】
共通制御チャネル用制御情報復調部１０５は、多重制御情報（ＰＤＣＣＨ）の共通サーチスペース（ＵＥ−ｃｏｍｍｏｎｎサーチスペース）のブラインドデコーディング処理、復調処理、チャネル復号処理等によりユーザ共通の制御情報である共通制御チャネル用制御情報を取り出す。共通制御チャネル用制御情報は、下りリンクの無線品質情報（ＣＱＩ）を含んでおり、後述するマッピング部１１４に入力され、基地局装置２０への送信データの一部としてマッピングされる。
【００８３】
上り共有データチャネル用制御情報復調部１０６は、多重制御情報（ＰＤＣＣＨ）のユーザ個別サーチスペース（ＵＥ−ｓｐｅｃｉｆｉｃサーチスペース）のブラインドデコーディング処理、復調処理、チャネル復号処理等によりユーザ固有の上り制御情報である上り共有データチャネル用制御情報を取り出す。上り共有データチャネル用制御情報は、上り共有データチャネル（ＰＵＳＣＨ)の制御に使用され、下り共通チャネルデータ復調部１０９へ入力される。
【００８４】
下り共有データチャネル用制御情報復調部１０７は、検出手段を構成するものであり、多重制御情報（ＰＤＣＣＨ）のユーザ個別サーチスペース（ＵＥ−ｓｐｅｃｉｆｉｃサーチスペース）のブラインドデコーディング処理、復調処理、チャネル復号処理等によりユーザ固有の下り制御信号である下り共有データチャネル用制御情報を取り出す。下り共有データチャネル用制御情報は、下り共有データチャネル（ＰＤＳＣＨ）の制御に使用され、下り共有データ復調部１０８へ入力される。下り共有制御チャネル用制御情報に上述した切替制御情報が含まれる場合には、切替制御情報がデマッピング部１０３へ入力され、多重制御情報（ＰＤＣＣＨ）、ユーザデータ（ＰＤＳＣＨ）を取り出す際に使用される。
【００８５】
また、下り共有データチャネル用制御情報復調部１０７は、下り共有データ復調部１０８で復調された上位制御信号に含まれる、上述したＰＤＣＣＨ及びＰＤＳＣＨに関する情報に基づいて、ＵＥ−ｓｐｅｃｉｆｉｃサーチスペースのブラインドデコーディング処理を行う。例えば、第１の態様においては、移動局装置１０に対するＰＤＳＣＨの割当て数に応じてＵＥ−ｓｐｅｃｉｆｉｃサーチスペースを把握し、ブラインドデコーディング処理を行う。第２、第３の態様においては、ＵＥ−ｓｐｅｃｉｆｉｃサーチスペースのサイズに応じてＵＥ−ｓｐｅｃｉｆｉｃサーチスペースを把握し、ブラインドデコーディング処理を行う。
【００８６】
下り共有データ復調部１０８は、下り共有データチャネル用制御情報復調部１０７から入力された下り共有データチャネル用制御情報に基づいて、ユーザデータを取得する。下り共通チャネルデータ復調部１０９は、上り共有データチャネル用制御情報復調部１０６から入力された上り共有データチャネル用制御情報に基づいて、下り共通チャネルデータを復調する。
【００８７】
復調された復調データ信号及び上位制御信号は、アプリケーション部１５へ入力される。上位制御信号に含まれる上述したＰＤＣＣＨ及びＰＤＳＣＨに関する情報は、アプリケーション部１５から下り共有データチャネル用制御情報復調部１０７に入力され、ＵＥ−ｓｐｅｃｉｆｉｃサーチスペースのブラインドデコーディング処理の際に使用される。また、これらのＰＤＣＣＨ及びＰＤＳＣＨに関する情報や切替設定情報は、アプリケーション部１５からデマッピング部１０３へ入力され、多重制御情報（ＰＤＣＣＨ）、ユーザデータ（ＰＤＳＣＨ）を取り出す際に使用される。
【００８８】
デマッピング部１０３においては、切替手段を構成するものであり、アプリケーション部１５からのＰＤＣＣＨ及びＰＤＳＣＨに関する情報や切替設定情報に基づいて、上述した第１〜第６の態様に従ってデマッピング処理を行う。例えば、第１、第２の態様においては、移動局装置１０に対するＰＤＣＣＨ及びＰＤＳＣＨの割当ての有無に応じてＰＤＣＣＨ及びＰＤＳＣＨを取り出す。第３の態様においては、ＤＣＩサイズを基準にＰＤＣＣＨ及びＰＤＳＣＨが割り当てられるコンポーネントキャリアＣＣに応じてＰＤＣＣＨ及びＰＤＳＣＨを取り出す。第４〜第６の態様においては、切替設定情報に加え、下り共有データチャネル用制御情報復調部１０７から入力される切替制御情報に応じてＰＤＣＣＨ及びＰＤＳＣＨを取り出す。
【００８９】
次に、移動局装置１０の上りリンク構成について説明する。データ生成部１１０は、上りリンクのユーザデータを生成する。チャネル符号化部１１１は、データ生成部１１０から出力されるユーザデータをチャネル符号化する。変調部１１２は、チャネル符号化部１１１でチャネル符号化された送信データを変調する。ＤＦＴ部１１３は、変調された送信データを離散フーリエ変換（ＤＦＴ：Discrete  Fourier  Transform）して時系列の信号から周波数領域の信号に変換し、マッピング部１１４へ入力する。マッピング部１１４は、下りリンクで通知された割当情報に基づいて、送信データを無線リソースにマッピングする。ＩＦＦＴ部１１５は、送信データを逆高速フーリエ変換して周波数領域の信号から時系列の信号に変換する。サイクリックプレフィックス挿入部１１６は、送信データの時系列信号にサイクリックプレフィックスを挿入する。サイクリックプレフィックスが付加された送信データは、送受信部１３に送出される。
【００９０】
このように移動局装置１０においては、下り共有データチャネル用制御情報復調部１０７により上位制御信号に含まれるＰＤＣＣＨ及びＰＤＳＣＨに関する情報に基づいてＵＥ−ｓｐｅｃｉｆｉｃサーチスペースのブラインド検出を行う。これにより、基地局装置２０で適応的に制御されたＵＥ−ｓｐｅｃｉｆｉｃサーチスペースでＰＤＣＣＨのブラインド検出を行うことができるので、自装置向けのＰＤＳＣＨの制御情報であるＰＤＣＣＨのブラインド検出を必要な範囲に限って行うことが可能となる。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００９２】
例えば、上記実施の形態においては、第４〜第６の態様において、切替制御情報をＰＤＣＣＨで移動局装置ＵＥに通知する場合について説明しているが、切替制御情報の通知に用いる制御信号については、ＰＤＣＣＨに限定されるものではなく適宜変更が可能である。例えば、ＭＡＣレイヤ信号により切替制御情報を通知するようにしても良い。ＭＡＣレイヤ信号は、ＲＲＣシグナリングよりも高速に情報伝送を行うことができることから、コンポーネントキャリアＣＣの活性化／非活性化の切替えを確実且つ高速に移動局装置ＵＥに通知することが可能となる。
【符号の説明】
【００９３】
１  移動通信システム
１０  移動局装置
１１  送受信アンテナ
１２  アンプ部
１３  送受信部
１４  ベースバンド信号処理部
１５  アプリケーション部
１０１  サイクリックプレフィックス（ＣＰ）除去部
１０２  ＦＦＴ部
１０３  デマッピング部
１０４  デインタリーブ部
１０５  共通制御チャネル用制御情報復調部
１０６  上り共有データチャネル用制御情報復調部
１０７  下り共有データチャネル用制御情報復調部
１０８  下り共有データ復調部
１０９  下り共通チャネルデータ復調部
１１０  データ生成部
１１１  チャネル符号化部
１１２  変調部
１１３  ＤＦＴ部
１１４  マッピング部
１１５  ＩＦＦＴ部
１１６  サイクリックプレフィックス（ＣＰ）挿入部
２０  基地局装置
２１  送受信アンテナ
２２  アンプ部
２３  送受信部
２４  ベースバンド信号処理部
２５  呼処理部
２６  伝送路インターフェース
２００（２００＃１〜２００＃Ｎ）  データ生成部
２０１（２０１＃１〜２０１＃Ｎ）  制御情報生成部
２０２（２０２＃１〜２０２＃Ｎ）  コンポーネントキャリア選択部
２０３（２０３＃１〜２０３＃Ｎ）  サーチスペース（ＳＳ）サイズ適応制御部
２０４  スケジューリング部
２０５（２０５＃１〜２０５＃Ｎ）  チャネル符号化部
２０６（２０６＃１〜２０６＃Ｎ）  変調部
２０７（２０７＃１〜２０７＃Ｎ）  マッピング部
２０８（２０８＃１〜２０８＃Ｎ）  下り制御情報生成部
２０９  下り共通チャネル用制御情報生成部
２１０（２１０＃１〜２１０＃Ｎ）  チャネル符号化部
２１１  チャネル符号化部
２１２（２１２＃１〜２１２＃Ｎ）  変調部
２１３  変調部
２１４（２１４＃１〜２１４＃Ｎ）  上り制御情報生成部
２１５（２１５＃１〜２１５＃Ｎ）  チャネル符号化部
２１６（２１６＃１〜２１６＃Ｎ）  変調部
２１７  制御チャネル多重部
２１８  インタリーブ部
２１９  ＩＦＦＴ部
２２０  サイクリックプレフィックス（ＣＰ）挿入部
３０  上位局装置
４０  コアネットワーク
【図１】
2011142599.tif 000003
【図２】
2011142599.tif 000004
【図３】
2011142599.tif 000005
【図４】
2011142599.tif 000006
【図５】
2011142599.tif 000007
【図６】
2011142599.tif 000008
【図７】
2011142599.tif 000009
【図８】
2011142599.tif 000010
【図９】
2011142599.tif 000011
【図１０】
2011142599.tif 000012
【図１１】
2011142599.tif 000013